Podtech/llm-jp-corpus-v4-ja_patent huggingface dataset:
(57)【要約】【課題】    本考案は、飲料紙パックに付属商品を付ける際、作業効率の向上、ゴミの削減、脱落防止を目的としたもの。【解決手段】本考案は、飲料紙パックに付属商品を付ける際に飲料紙パック本体に糊で貼り付けることなく、付属商品貼付物を飲料紙パックの開封口に穴を開けたフック部分を掛け、左右にある折り曲げ部分を内側に折り曲げて取り付ける事で、作業効率の向上、ゴミの削減、脱落防止に役立つ。【選択図】図１
0003124374.tif 000002
【実用新案登録請求の範囲】
【請求項１】
飲料紙パック本体に付属商品を添付する際、付属商品を袋詰めした後、フック部分を飲料紙パック本体の開封部分に掛け、フック左右部分にあるスジ押し加工部分を折り曲げて、容易且つ脱落防止を特徴とする飲料紙パックネックホルダー
【考案の詳細な説明】
【技術分野】
【０００１】本考案は、飲料紙パックにフック及び袋及び脱落防止を設けた飲料紙パックネックホルダーに関するものである。
【背景技術】
【０００２】飲料紙パックに付属商品貼付方式は粘着シート及び糊で直接商品に貼付けていました。
【考案の開示】
【考案が解決しようとする課題】
【０００３】付属商品貼付の際、ほこり、汚れ、結露、水滴が粘着を弱め、剥がれ落ちの原因となる。その為、飲料紙パックをふき取り作業が必要とされる。さらに、付属商品貼付方式は粘着シート及び糊で直接商品に貼付ける為、接着部分の剥離紙が接着後、ゴミとなる。
従って、作業者の労働的負担、ゴミが増える、問題を解決しようとするものである。
【課題を解決するための手段】
【０００４】本考案は、上述の作業者の労働的負担、ゴミが増える問題を解決する為、付属商品貼付物を飲料紙パックの開封口に穴を開けたフック部分を掛け、左右にある折り曲げ部分を内側に折り曲げて取り付ける。
【考案の効果】
【０００５】本考案は、容易に取り付け可能な為、作業効率の向上、ゴミの削減、剥れ落ち、の問題に役立つ。
【考案を実施するための最良の形態】
【０００６】量販店に飲料紙パックを陳列する際、付属商品を貼付する時に使用する。
以下、添付図面に従って一実施例を説明する。図１は飲料紙パック使用例。
図２は飲料紙パック陳列使用例。
【実施例】
【０００７】以下、添付図面に従って一実施例を説明する。図３は実施例を示す正面図である。
図４  Ａは耐久性がある紙等の素材をしようする。
Ｂは脱落防止の為の折り曲げやすいスジ押し加工を行う。Ｄは付属商品を挿入する為のビニール製の袋、ＣはＡとＤを接着する為の接着物である。以上を組み立て、飲料紙パック本体の開封部分に掛け、フック左右部分にあるスジ押し加工部分を折り曲げて使用する。
【産業上の利用可能性】
【０００８】量販店、飲料メーカーが商品付録を付ける際に利用する。
【図面の簡単な説明】
【０００９】
【図１】  飲料紙パック使用例
【図２】  飲料紙パック陳列使用例
【図３】  本考案の飲料紙パックネックホルダーの実施例を示す正面図である。
【図４】  本考案の飲料紙パックネックホルダーの部品部分の正面図である。
【符号の説明】
【００１０】Ａ  フック
Ｂ  スジ押し加工
Ｃ  接着用接着物
Ｄ  ビニール袋
【図１】
0003124374.tif 000003
【図２】
0003124374.tif 000004
【図３】
0003124374.tif 000005
【図４】
0003124374.tif 000006
(57)【要約】【課題】地理の勉強道具として地球儀があり、学校や研究所及び会社や事務所そして一般家庭まで幅広く活用され、世界各地でグロ−バル化が叫ばれている今日、視野を大きく広げるための小道具として大いに利用活用されているところである。一方視点を変えて地球儀そのものを見たとき、一般家庭においては、特別な場合を除くと残念ながら、単なる机上の置物、飾り物的な役割に終わっているケ−スが多いと思われる。同じ置物なら、丸い地球儀本体内部の空間を利用して物品の収納機能を持たせることにより価値のある置物であり、装飾品となる。【解決手段】地球儀本体を二分割して上部と下部の２つの片を形成し各々の片の内部空間に各々袋状の物品収納体を有して蓋を設けた構造とし、物品収納後は分割された上・下片を接合させて、通常の地球儀同様に机上におくものとする。【選択図】図３
0003124378.tif 000002
【実用新案登録請求の範囲】
【請求項１】
台座と緯度尺に固定され、回転可能に支持された地球儀本体からなり、地球儀本体は内部が空洞に形成されており且つほぼ同じ大きさの二つの部分片に分割可能に構成されていることを特徴とする地球儀。
【請求項２】
請求項１記載の地球儀において、地球儀本体の分割は赤道の位置に沿っていることを特徴とする地球儀。
【請求項３】
分割された一方の地球儀本体の部分に、他方の部分を嵌め込み、ビス止めすることを特徴とする請求項２に記載の地球儀。
【請求項４】
地球儀本体の部分に開閉可能な蓋を設けたことを特徴とする請求項２に記載の地球儀。
【請求項５】
開閉はファスナ−によって行なわれることを特徴とする請求項４に記載の地球儀。
【請求項６】
地球儀本体の内部空洞には、一つ又はそれ以上の収納部分が設けられていることを特徴とする請求項１に記載の地球儀。
【考案の詳細な説明】
【技術分野】
【０００１】地球儀の多目的利用に関するものである。
【背景技術】
【０００２】地球儀の利用目的そのものが多岐にわたるものでないことが原因かと思われるが、わずかに大きさや、色、材質に多少の違いがあるほか最近のものとしては電気を利用したライトオン式や小型コンピュ−タを内蔵させた音声による地理案内などができるものなど見受けることができる程度で特に機能構造面における大きな変化を見ることが出来ない現状である。
【考案の開示】
【０００３】ポリスチレンなどの材質にて形成された地球儀の本体内部空間を活用して、物品の収納機能を持たせる。
【考案が解決しようとする課題】
【０００４】地球儀は特定の人を除いては、常時利用する人は少ないと思われるが特に一般家庭においては、どちらかと言えば机上の置物である装飾品としての位置付けが高いものと考えられるが、地球儀本体の内部空間を活用して物品の収納を可能とすることで利便性を兼ね備えたユニ−クで価値のある置物となる。
【課題を解決するための手段】
【０００５】地球儀本体を赤道を中心に上部片（北極片）と下部片（南極片）の二分割片とする。
【０００６】上部片と下部片は赤道上で接合できるものとする。
【考案の効果】
【０００７】各個人が日ごろより真に大切にしているもので、他人の目にはあまり触れさせたくないと考えているものや、日常は使用することは少ないが個人にとっては大変に価値の高いものなどが収納できる。
（但し、収納スペ−スには限りがあるため、あまり大きなものは収納不可となる）
【考案を実施するための最良の状態】
【０００８】地球儀本体を赤道上で二分割にする。
二分割された地球儀片の各々の内部には、合成皮革または別珍にて物品収納のために袋状に形成された収納体を接着剤などで貼り付ける。
【０００９】各々の収納体は個別に設けられたファスナ−によって、（紐による絞りあげ式でもよい）開閉可能な蓋を有すること。
【００１０】上部片と下部片の収納体内部は異なった構造でもよい。
【００１１】物品収納後、机上に飾る際は、赤道上で分割された上部片と下部片とを接合させて、赤道上のあまり地図の邪魔にならぬように選ばれた左・右二個所にネジ溝を設けてナベ底ビス（他の種類のビスでもよい）嵌め込んでドライバ−類で締めて上・下片を固定させる。
【００１２】緯度尺上部に備えられているピンに上部片を通してから、緯度尺下部に別途設けられたピンに下部片を通すことにより、地球儀全体を安定させてから机上に飾る。
【００１３】地球儀本体の接合時に上部片を上からかぶせられる下部片にはのりしろ部分を施して、左・右２個所のビス止めの部分には内側にビス受けのための補助版を施すこと。
【００１４】収納体の貼り付けの際は、上・下のピンに収納物品が接触することにより、傷ついたり壊れたりすることがないよう配慮して、上・下のピンを避けて空間を設けたうえで貼り付けること。
【図面の簡単な説明】
【００１５】
【図１】  本考案の地球儀側面図
【図２】  本考案実施時の地球儀本体分割片正面図
【図３】  本考案実施時の地球儀本体分割片内面図
【符号の説明】
【００１６】１．  ピン（緯度尺と一本化）
２．  時差表示板
３．  地球儀本体
４．  緯度尺
５．  赤道
６．  ピン（別塗装着）
７．  台座
８．  上部片
９．  下部片
１０Ａ，１０Ｂ  ナベ底ビス
１１Ａ，１１Ｂ  ビス受け補助版
１２Ａ，Ｂ，Ｃ，Ｄ  ファスナ−
【図１】
0003124378.tif 000003
【図２】
0003124378.tif 000004
【図３】
0003124378.tif 000005
(57)【要約】【課題】  折り返し部が上下方向の中央の位置にあり、マスク内の空間が充分に確保することが可能であり、さらに通常の不測の外力がかかったときにも変形することなく、マスクの内側の空間を保持することが可能であり、呼吸が困難となるという従来の致命的な欠陥を回避することのできるマスクの提供を目的とする。【解決手段】  通気性マスク本体２の中央部には、左右方向に向かう細幅の袋部２１が形成され、該袋部２１には、着用時に通常の不測の外力によっても変形することなく、彎曲状態を保持することのできる強度を有する硬質の可撓性体３が前記袋体の左右方向に緊密に挿入されており、しかも前記袋部２１の上下には、それぞれ２つの折り返し部２２，２２，２３，２３が形成されていて、前記上下の折り返し部の上下方向の全長が等しく形成されている。【選択図】図１
0003124375.tif 000002
【実用新案登録請求の範囲】
【請求項１】
通気性マスク本体の中央部には、左右方向に向かう細幅の袋部が形成され、該袋部には、巾７〜１５ｍｍであって、厚さ０．３〜０．８ｍｍであり、かつ着用時の彎曲状態を保持することのできるように２００ｇの荷重に対して耐え得る硬質の可撓性体が前記袋体の左右方向に緊密に挿入されており、しかも前記袋部の上下には、それぞれ２つの折り返し部が形成されていて、前記上下の折り返し部の上下方向の全長が等しく形成されていることを特徴とするマスク。
【請求項２】
前記可撓性体は、多孔性であることを特徴とする請求項１記載のマスク。
【考案の詳細な説明】
【技術分野】
【０００１】  本考案は、マスク内の空間を保持することのできるマスクに関するものである。
【背景技術】
【０００２】  マスク内の空間を保持することのできるマスクとしては、各種のマスクが知られており、特許文献１に記載されているように、マスクに弾性体を固着してマスク内の空間を広く維持することのできる使い捨てマスクが既に公知であり、広く使用されている。
【特許文献１】  特開平９−３５９０２７号公報
【０００３】  しかしながら、このマスクでは、弾性体を使用しているので、不測の外力がかかったときに、弾性体に特有の弾性によって簡単に変形するため、不測の外力によって凹状に変形してしまい、マスクの内側の空間が狭くなり、呼吸が困難となるというマスクとしては致命的な欠陥があった。
【考案の開示】
【考案が解決しようとする課題】
【０００４】  本考案は、折り返し部が上下方向の中央の位置にあり、マスク内の空間が充分に確保することが可能であり、さらに通常の不測の外力がかかったときにも変形することなく、マスクの内側の空間を保持することが可能であり、呼吸が困難となるという従来の致命的な欠陥を回避することのできるマスクの提供を目的とするものである。
【課題を解決するための手段】
【０００５】  本考案は、上記目的を達成するものであって、通気性マスク本体の中央部には、左右方向に向かう細幅の袋部が形成され、該袋部には、巾７〜１５ｍｍであって、厚さ０．３〜０．８ｍｍであり、かつ着用時の彎曲状態を保持することのできるように２００ｇの荷重に対して耐え得る硬質の可撓性体が前記袋体の左右方向に緊密に挿入されており、しかも前記袋部の上下には、それぞれ２つの折り返し部が形成されていて、前記上下の折り返し部の上下方向の全長が等しく形成されていることを特徴とするマスクである。【０００６】  前記可撓性体は、呼吸が容易なように多孔性であることが望ましい。
【考案の効果】
【０００７】  本考案のマスクでは、可撓性体が上下方向に中央の位置にあり、その上下に２つの折り返し部が形成されているので、上下方向に均等に広げることが可能であり、マスク内の空間が充分に確保することが可能である。さらに、可撓性体は、可撓性を有しているので、使用時に着用者が彎曲状に変形することが可能であり、しかも通常の不測の外力がかかっても、弾性による変形を生じず、彎曲状の変形状態を強固に保持して変形することなく、マスクの内側の空間を保持することが可能であり、呼吸が困難となるという従来の致命的な欠陥を未然に回避することが可能である。
【考察を実施するための最良の形態】
【０００８】  以下、図面に基づいて本考案の実施態様を詳細に説明する。
図１，図２において、１は本考案のマスクであって、該マスク１は主として通気性マスク本体２と可撓性体３と耳掛け部４とより形成されている。
【０００９】  通気性マスク本体２は、通気性の不織布等で形成されており、その上下方向の中央部には、細幅で左右方向に向かう長尺の通気性袋部２１が形成されており、該袋部２１には、可撓性体３が左右方向に緊密に挿入可能な大きさに形成されている。
【００１０】  前記袋部２１の上下には、それぞれ２つの折り返し部２２，２２，２３，２３が形成されていて、前記上側の折り返し部２２，２２と下側の折り返し部２３，２３の上下方向の全長（折り返し部を拡げたときの長さの和）が等しく形成されているので、マスク１内の空間は広く保持することが可能である。
【００１１】  可撓性体３は、着用時の彎曲状態を通常の不測の外力によっても弾性変形することなく、彎曲状態を安定に保持することのできる強度を有する硬質なものである。前記可撓性体は、巾７〜１５ｍｍであって、厚さ０．３〜０．８ｍｍであり、さらに、前記可撓性体３の彎曲状態を保持できる強度は、２００ｇの荷重に耐え得ることが必要である。この強度は、長さ１６ｃｍの可撓性体３を高さ３ｃｍの凹状に彎曲して、その中央部に荷重をかけたとき、変形しない荷重を測定したものである。可撓性体３は、袋部２１に左右方向に緊密に挿入されているので、本考案のマスク１を使用する際には、マスク１の両端に形成した耳掛け部４を着用者の耳に掛けると、本考案のマスク１は着用者の顔に沿って彎曲すると共に、可撓性体３の両端部も袋部２１の内端部に圧接されて彎曲状に変形されることとなる。この彎曲状態は、上述のように通常の不測の外力が負荷しても弾性変形することなく、彎曲状態を安定に保持することが可能である。
【００１２】  可撓性体３は、好ましくは多孔性であるので、可撓性体３によって着用者になんらの呼吸への影響を及ぼさないという優れた作用効果も奏することができる。
【図面の簡単な説明】
【００１３】
【図１】  本考案のマスクの一例を示す平面図である。
【図２】  図１のマスクのマスク本体の断面図である。
【符号の説明】
【００１４】    １    マスク
２    通気性マスク本体
２１  袋部
２２  上側の折り返し部
２３  下側の折り返し部
３    可撓性体
４    耳掛け部
【図１】
0003124375.tif 000003
【図２】
0003124375.tif 000004
(57)【要約】【課題】本体素材、形状を問わず、加工が容易で、操作性に優れたマウスパッドを提供すること。【解決手段】マウスパッド裏面の、２箇所以上に吸着素材を配置することにより、本体形状にとらわれず、加工が容易で、操作性に優れ、また移動しやすいといった利点を得る【選択図】図１
0003124349.tif 000002
【実用新案登録請求の範囲】
【請求項１】
板状をなす本体裏面の一部に吸着素材を固着してあることを特徴とするマウスパッド。
【考案の詳細な説明】
【技術分野】
【０００１】本考案はコンピュータ用マウスの下敷きとして使用するマウスパッドに関する。
【背景技術】
【０００２】  コンピュータの入力装置として、マウスが知られている。マウスパッドは、これらのマウスを使用する際の下敷きとなる。マウス走行時において、マウスパッドが動いてしまっては操作が困難になるため、裏面にはすべり防止を形成する必要がある。【０００３】  ところで、近年では、一般にはマウスパッド下部にはすべり防止のためにウレタン等の高摩擦な素材が使われているが、この種のマウスパッドは本体素材に限定があるため意匠加工が限定される。また、裏面全体に吸着素材がなされたようなものは、一度固定してしまうと移動が容易ではないといった問題がある。
【考案の開示】
【考案が解決しようとする課題】
【０００４】  本考案は上記に鑑みて成されたものであり、本体素材、形状を問わず、加工が容易で、操作性に優れたマウスパッドを提供することを目的とする。
【課題を解決するための手段】
【０００５】  上記課題を解決する本考案のマウスパッドは、板状をなす本体裏面の一部に吸着素材を持つことを特徴とする。【０００６】  本考案のマウスパッドは、下記の構成を備えるのが好ましい。
本体の裏面２箇所以上に吸着素材が固着してある。
【考案の効果】
【０００７】  本考案のマウスパッドは、本体部分の素材を問わないため、さまざまな意匠を使用することができる【０００８】  本考案のマウスパッドは、本体部分の形状を問わないため、さまざまな意匠を使用することができる。【０００９】  本考案のマウスパッドは、吸着素材を裏面の２箇所以上に配置することにより、操作性に優れ、また移動しやすい。【００１０】  本考案のマウスパッドは、板状をなす本体部分に直接吸着素材を固着するので、加工が容易である。【００１１】  本考案のマウスパッドは、本体裏面の一部に吸着素材を固着することで、吸着素材に要するコストを低減できる。
【考案を実施するための最良の形態】
【００１２】  本考案のマウスパッドは、本体裏面に２箇所以上の吸着素材を固着し、設置面と吸着する。吸着素材は２箇所以上なら設置場所、形にこだわらない。【００１３】  本考案のマウスパッドにおいて、本体部を構成する材料は限定されない。例えば、樹脂、ゴム、エストラマー、布帛、木材、金属、ガラス、皮、紙などの材料で形成できる。【００１４】本考案のマウスパッドにおいて、本体部の形状は限定されない。例えば、丸であっても良いし四角であっても良い。また、肉厚も特に限定されず、厚肉であっても良いし、薄肉であっても良い。【００１５】  本考案のマウスパッドは、吸着素材が本体部に固着されている。この固着する方法は既知の種々の方法を選択できる。例えば溶着等の方法で直接固定してもよいし、接着等の方法で他部材（接着剤）を介して固着してもよい。
【実施例】
【００１６】以下、本考案のマウスパッドを、図面を基に説明する。
（実施例１）
実施例１のマウスパッドは、上記構成を備える。実施例１のマウスパッドを模式的に表す裏面の平面図を図１に示す。【００１７】実施例１のマウスパッドは、本体裏面の４箇所に吸着素材が接着されている。そのため本体部分と吸着素材の接着面積が小さく、容易かつ安価に形成できる。【００１８】また、吸着素材の面積を小さく抑えることにより、マウスパッド移動も容易にできる利点がある。【００１９】さらに、実施例１のマウスパッドは本体部分の素材形状を問わないため、優れた意匠性を付与できる。【００２０】（実施例２）
実施例２のマウスパッドは、上記構成を備える。実施例２のマウスパッドを模式的に表す裏面平面図を図２に示す。【００２１】  実施例２のマウスパッドは、本体裏面の上下に吸着材が直線状に接着されている
【図面の簡単な説明】
【００２２】
【図１】実施例１のマウスパッドの裏面を模式的に表す平面図である。
【図２】実施例２のマウスパッドの裏面を模式的に表す平面図である。
【符号の説明】
【００２３】１：吸着剤、２：本体
【図１】
0003124349.tif 000003
【図２】
0003124349.tif 000004
(57)【要約】      （修正有）【課題】固定具の不備から着衣時の安定性、快適性を損なう肩掛け具を改良し、また、改良後の洗浄時の利便性、迅速性の不備を解消した肩掛け具を提供する。【解決手段】通し穴２に可朔性のある棒（針金１）を設置、端と端を捩れ合わすことで着用時の安定性、快適性を、また可朔性のある棒を簡単に抜き取れるようにした肩掛け具。通し穴を設置し洗浄時の利便性と迅速性を格段に向上させることに成功した。【選択図】図１
0003124342.tif 000002
【実用新案登録請求の範囲】
【請求項１】
幅方向に設けた通し穴に可朔性のある棒が挿入されていることを特徴とする肩掛け具。
【考案の詳細な説明】
【技術分野】
【０００１】  本考案は、寒気の折に使用されようとする肩掛け具に関する。
【背景技術】
【０００２】  従来の肩掛け具の着衣は困難の為、種々の有効な着用法と固定法が考案されている。
【考案の開示】
【考案が解決しようとする課題】
【０００３】  従来の肩掛け具は着衣時と移動時に固定具の欠如からその安定性に疑問が持たれる。幼児を養う母親が子供を背負う際に結び目が解け、地にはらりと落ちてしまうことがその一例である。この時、体格や好みに応じて上半身にフィットされるように、柔軟にかつ強固に調整できる固定部が望ましい。【０００４】  本考案は、上記に鑑みてなされた物であり、防寒暖衣具を容易に着脱及び位置を調整でき、かつ、上半身にしっかりと固定できる肩掛け具を提供する事を技術的課題とする。
【課題を解決するための手段】
【０００５】  本考案に掛かる肩掛け具は、上部内側に設けた通し穴に可朔性のある棒が出し入れ可能に挿入されていることを特徴とするものである。【０００６】  着用時、外面的には布と布が捻れ合っての固定に見えて、内部では実際は可朔性のある棒の端と端が固定される。【０００７】  金具や鉄と違い、可朔性なので固定時、手作業で布と布を結ぶ従来の其れと比べて、手間が掛からず、しかも殆ど労力無しの固定が可能であるため、その利便性、迅速性において優れている。
【考案の効果】
【０００８】  上記構成によると、肩掛け具の着脱が容易かつ迅速であり、可朔性のある棒が内部に組み込まれているため快適な着衣感を持続する事が出来る。
【考案を実施するための最良の形態】
【０００９】  以下実施例を示して本考案の構成と作用について説明する。
【実施例】
【００１０】  図１は肩掛け具の平面図（内部見通し）であり暖衣具を床に伸ばしておいた状態である。見ての通り従来の其れとの相違点が外観上見当たらない事が見て取れる。ここで、購入時取り付け済みであることから購入者は可朔性のある棒、すなわち針金１の組立の作法を踏まないでよい。【００１１】  図２は肩掛け具を横から見た断面図を表したもので、針金１の収まる内部構造を描いたものである。購入者が「通し穴２」からの出し入れできる動作に自在性が保証できる。【００１２】（作用）
以上の構成により、着衣時の快適性に優れ、また迅速性、利便性において従来の其れと比べて格段に向上されており、また、洗濯時には購入者自ら可朔性のある棒を抜き取り容易に洗濯作業を進める事が出来る。
【産業上の利用可能性】
【００１３】  本考案に掛かる肩掛け具は顎下部分より腹部にいたる範囲の防寒効果及び着用時のストレスからの解放の効果が期待される。また、着衣時体の大きさや好みに合わせてその形を広範囲に変化でき、素人の手作業でも洗濯時を含めての扱いに何らの支障が生じないため、いわゆる（ファッション性はもちろん）リラクゼーショングッズとしてその商品価値はきわめて高い。最大の特徴である部分は内部の可朔性のある棒であるため省コスト化に貢献し、産業上の利用可能性は絶大である。
【図面の簡単な説明】
【図１】肩掛け具の平面図（内部見通し）である。
【図２】肩掛け具を横から見た断面図である。
【符号の説明】
１．可朔性のある棒（針金）
２．通し穴
【図１】
0003124342.tif 000003
【図２】
0003124342.tif 000004
(57)【要約】      （修正有）【課題】絨毯を簡単に細分化、また再結合出来る利便性と迅速性、また安全性に富んだ絨毯を提供する。【解決手段】一つの広大な面積を持つ絨毯を細分化できるようにし、各小絨毯端部に結合器を設置し、分割結合を簡単にできるように措置した。これにより使用後も簡単な洗浄手段により再使用が容易になった。結合状態時での不便性からも出っ張りを解消することで解放され小幼児にも安心した使用が可能である。【選択図】図１
0003124343.tif 000002
【実用新案登録請求の範囲】
【請求項１】
複数の小絨毯をチャックで分離可能に結合して構成される絨毯。
【考案の詳細な説明】
【技術分野】
【０００１】  本考案は防寒時に使用される絨毯に関する。
【背景技術】
【０００２】  従来の絨毯は洗浄が困難の為、種々の洗浄法が考案されている。
【考案の開示】
【考案が解決しようとする課題】
【０００３】  従来の敷設具は大きく洗浄機の許容限度を超えるから、何らかの縮小措置の必要がある。【０００４】  本考案は、上記に鑑みてなされたものであり敷設具を簡単に細分化、また再結合出来る、利便性と迅速性、また安全性に富んだ加暖用途絨毯を提供することを技術的課題とする。
【課題を解決するための手段】
【０００５】  本考案にかかる絨毯は、複数枚の小絨毯をチャックで結合できるよう工夫されたものである。【０００６】  チャックを使用者が軽く二つの指でつまみ、簡単に上下でき、洗浄終了後も分割作業の手順同様にすることで、その利便性を確認できる。【０００７】  また、結合状態時に生まれがちな繋ぎ目での出っ張りを原因とする躓きのストレスからも本品は、それへの対処の怠りをせぬことで解放されている。
【考案の効果】
【０００７】  上記構成によると、小絨毯の分割結合が簡単であり使用時、また洗浄時の迅速性、利便性がもたらされる。結合状態時に生まれがちな繋ぎ目による躓きも防止でき、安全性をももたらされることも見逃せない。
【考案を実施するための最良の形態】
【０００８】  以下実施例を示して本考案の構成と作用について説明する。
【実施例】
【０００９】  図１は本考案にかかる加暖用途絨毯使用時の形態を示す正面図であり、図２はそれの繋ぎ目の正面から見たＡ部拡大概略図、図３はそれ繋ぎ目の真横から見た拡大概略図である。【００１０】  マット１とマット２を繋いだ際生まれがちな繋ぎ目での出っ張りを解消した状態を図２では確認できる。図３のように内部にチャック３が埋もれた状態でも、触感は伝わってこず、不快感からも解放されている。【００１１】  （作用）
以上の構成により、分割結合が簡単で繋ぎ目にも出っ張りが生せず、使用者が困惑することなく加暖用途絨毯の用途をまっとうできる。
【産業上の利用可能性】
【００１２】  本考案にかかる加暖用途絨毯は、分割結合の作業手順が簡単であり、結合状態での安全性にも優れ幼児にも安心して使用でき、いわゆるリラクゼーショングッズとしてその商品価値はきわめて高い。ある程度の使用後にも手間がかからず洗浄もすることができリサイクル性においても産業上の利用可能性は絶大である。
【図面の簡単な説明】
【００１３】
【図１】本考案にかかる敷設具の正面図である。
【図２】マットとマットの繋ぎ目を正面から見た拡大図である。
【図３】マットとマットの繋ぎ目を真横から見た拡大図である。
【符号の説明】
１，２  マット
３      チャック
【図１】
0003124343.tif 000003
【図２】
0003124343.tif 000004
【図３】
0003124343.tif 000005
(57)【要約】      （修正有）【課題】足の蒸れを防ぐための毛細管で作ったシートを内側に貼った靴を提供する。【解決手段】靴の外張り（１）の内側に、毛細管で作ったシート（２）を内側に貼り毛細管現象により汗を吸わす。【選択図】図１
0003124344.tif 000002
【実用新案登録請求の範囲】
【請求項１】
毛細管で作ったシートを内側に貼った靴
【考案の詳細な説明】
【技術分野】
【０００１】本考案は足の蒸れを防ぐための毛細管で作ったシートを内側に貼った靴に関するものである。
【背景技術】
【０００２】従来靴の内側は皮や布やビニールで作られていた。
特公開２００４−２４３０８４  フェルトシューズ
【考案の開示】
【考案が解決しようとする課題】
【０００３】これは長時間履くと足が蒸れるという欠点があった。
【課題を解決するための手段】
【０００４】靴の外張り（１）の内側に、毛細管で作ったシート（２）を内側に貼った靴
【考案の効果】
【０００５】毛細管で作ったシートが汗を吸うので足が蒸れない。
【図面の簡単な説明】
【０００６】
【図１】本考案の一部を切り欠いた正面図である。
【符号の説明】
【０００７】１  靴の外張り
２  毛細管で作ったシート
【図１】
0003124344.tif 000003
(57)【要約】【課題】本考案は、粘性の高い塗料に対しても、優れた濾過性能を発揮させるために、濾過ストレーナーの内面をコーテイングする事により、塗料の沈降滑り性を向上させて濾過作業の効率化を提供する事にある。【解決手段】紙製円錐形状本体（１）の下方に、補強枠（４）を付けた、開放部（２）を設け、この開放部に網体濾過フイルター（３）を固着して設け、そして前記本体の円錐内面の表面に、樹脂系コーテイング材（７）をコーテイングして設け、さらには前記本体の上縁周辺部（５）に穴付把手（６）を装着する。【選択図】図１
0003124366.tif 000002
【実用新案登録請求の範囲】
【請求項１】
紙製円錐形状本体（１）の下方に、補強枠（４）を付けた、開放部（２）を設け、この開放部に網体濾過フイルター（３）を固着して設け、そして前記本体の円錐内面の表面に、樹脂系コーテイング材（７）をコーテイングして設け、さらには前記本体の上縁周辺部（５）に穴付把手（６）を装着してなる、塗料濾過ストレーナー。
【考案の詳細な説明】
【技術分野】
【０００１】  本考案は、自動車板金塗装時に簡易に塗料を濾過する技術に関するものである。
【背景技術】
【０００２】  従来も、塗料を簡便に濾過するストレーナーは、いろいろ工夫されていた。
【考案の開示】
【考案が解決しようとする課題】
【０００３】  しかし、次のような問題点があった。
使用する塗料は、粘性の高いものが多く、ストレーナーに塗料を流しこんで濾過するが、ストレーナー内面の表面が粗く、塗料の沈降速度が極めて遅いのが現状であり、作業効率が悪かった。
本考案は、このような問題点を改善する為に、なされたものである。
【課題を解決するための手段】
【０００４】  この課題を解決する方法としては、紙製円錐形状本体（１）の下方部分に、補強枠（４）を付けた、開放部（２）を設ける。この開放部に網体濾過フイルター（３）を固定して設ける。さらに紙製円錐形状本体（１）の上縁周辺部（５）に、作業性を良くするために穴突把手（６）を設ける。最後に紙製円錐形状本体（１）の円錐内部の表面に、樹脂系コーテイング材（７）をコーテイングして設ける。
【考案の効果】
【０００５】  塗料を流れる部分、つまり紙製円錐形状本体の内面がコーテイングされているので、非常に滑らかな表面となり、塗料の沈降流速度が大幅に向上した。
【考案を実施するための最良の形態】
【０００６】  まず、紙製のシートを展開して、図１のごとく紙製円錐形状本体（１）を形成する。この前記本体の下方には、補強枠（４）を付けた、開放部（２）を設ける。この開放部には、塗料を濾過するために、網体濾過フイルター（３）を固着して設ける。そして前記本体の円錐内面の表面に、樹脂系コーテインク材（７）をコーテイングして設ける。この処理により、塗料の流動性が向上する。さらには前記本体の上縁周辺部（５）に穴付把手（６）を装着する。このように形成されているので、これを使用実施するには、穴付把手（６）部分を持って、紙製円錐形状本体（１）の内部に所要の濾過対象塗料液を流し込めば、コーテイングされた内面を滑らかに流れ落ちて、下方の網体濾過フイルター（３）を透して、濾過された塗料が取り出される。
【図面の簡単な説明】
【０００７】
【図１】  本考案の斜視図である。
【符号の説明】
【０００８】  １  紙製円錐形状本体
２  開放部
３  網体濾過フイルター
４  補強枠
５  上縁周辺部
６  穴付把手
７  樹脂系コーテイング材
【図１】
0003124366.tif 000003
(57)【要約】      （修正有）【課題】水の電気分解で酸素水素ガスを作り出す電解槽で発熱をふせぐことが可能な絶縁パッキングの提供。【解決手段】電解槽を囲む部分を絶縁パッキング２を入れることで、電極板３，４の一部が電解槽の外部に突出する構造になっている。これにより、ラジエターの効果を得ることができ、電解槽の発熱をふせぐことが可能となる。【選択図】図１
0003124369.tif 000002
【実用新案登録請求の範囲】
【請求項１】
水を電気分解するための電解槽で、電極板の一部を電解槽の外部に突出させるための構造を特徴とする絶縁パッキング。
【考案の詳細な説明】
【技術分野】
【０００１】  電解槽内部に並列されている電極板を電解槽外部に突出させてある電解槽を作る。そのための電解槽と電極板の中間パッキングが必要である。
【背景技術】
【０００２】  水を電気分解する装置は様々に考え作られているが、全部電解槽内部に電極板が並列された構造になっているので、電解槽が発熱し電気分解能力が極端に低下する。
【考案が解決しようとする課題】
【０００３】  電極板の一部が電解槽の外部に突出している構造にすることで発熱をおさえ、熱自体を常時外部に放出させることができる装置にする。
【考案を解決しようとする手段】
【０００４】  電極板の一部を電解槽の外部に突出させた構造にするため、電解槽から突出する接点部に絶縁パッキングを使うことで解決する。
【考案実施の形態】
【０００５】  電解槽を囲む部分を絶縁パッキングを入れることでパッキングの間より電極板の一部が電解槽の外部に突出させることができる。
【実施例】
【０００６】  以下は添付図により実施例を説明する。図１は実用新案登録第３１１８５５６号の水燃機の断面図である。図１の１は電解槽の外部の蓋になる部分で、２は絶縁パッキングである。３と４は電極板である。５はワッシャーで６は中心棒で電解槽の中心に通してあり左右のナットで締め付けて３の電極板が一部電解槽の外部に突出する構造になっている。８は電解槽内部部分で電解液が入れてあり、９の部分より電気を流すことで水を電気分解することができる。
【考案の効果】
【０００７】  本考案の電解槽外部に電極板の一部を突出することで、ラジエターの効果を生み電解槽の熱発散と発熱をふせぐ効果があり、この絶縁パッキング方式が不可欠である。
【図面の簡単な説明】
【０００８】
【図１】  水燃機電解槽用絶縁パッキングの断面図。
【符号の説明】
【０００９】  １  電解槽外部フタ
２  絶縁パッキング
３  電解槽外部突出電極板
４  電解槽内部にある電極板
５  ワッシャー
６  電解槽心棒
７  ナット
８  電解槽内部と電解液
９  電流接続部
【図１】
0003124369.tif 000003
(57)【要約】      （修正有）【課題】発熱をおさえながら効率良く水を電気分解することが可能な電極板を提供する。【解決手段】水を電気分解するための電極板で四角形で大小２種の大きさであり、大小の電極板１，２を交互に並列させて、その大小の電極板１，２の中心部に心棒５を貫通できる穴３を持っており、電極板１，２数十枚を心棒５で貫通させ心棒５の両端をナット６で締めることができる。【選択図】図１
0003124368.tif 000002
【実用新案登録請求の範囲】
【請求項１】
水を電気分解するための電極板で四角形で大小２種の大きさであり、大小の電極板を交互に並列させて、その大小の電極板の中心部に心棒を貫通できる穴を持っており、電極板数十枚を心棒で貫通させ心棒の両端をネジで締めることのできる特徴をもった電極板。
【考案の詳細な説明】
【技術分野】
【０００１】  水を効率よく電気分解して酸素水素ガスにするための電極板の構造。
【背景技術】
【０００２】  水を電気分解して酸素水素ガスにする装置に必要な電極板は種々考えられているが、全部の電極板は電解槽の内部に納める様式になっている。
【考案が解決しようとする課題】
【０００３】  水の電気分解装置は、電解槽の構造が大事であるが、電解槽が密室であるため発熱がはげしく電解能力が極端におちるので、発熱をふせぐ装置にする。
【考案を解決しようとする手段】
【０００４】  電極板の一部を電解槽の外部に出すことのできる構造にできる電極板にする。
【考案実施の形態】
【０００５】  大小２種類の電極板を並列させるため、電極板の中央部に心棒を通す穴を開けそれに心棒を通し、心棒の両端をネジで締め上げる形態にする。
【実施例】
【０００６】  以下は添付図により実施例を説明する。図１の正面図１は大の電極板で２は小電極板であり、３は電極板中央の心棒貫通穴である。側面断面図は（実用新案登録第３１１８５５６号）であり電解槽の外部に電極板の一部を出すための電極板に設計されている。側面断面図の１の大電極板は２の小電極板が大小交互に並列されており、７と８は絶縁パッキングで５の心棒が大小電極板を貫通しており、６のナットで締めつけている。この構造で９の部分が電解室となっており、１の大電極板が電解槽外部に突出していることになる
【考案の効果】
【０００７】  本考案の電極板で電極板の一部が電解槽外部に突出させることができ、電解槽の発熱を減少させることができる。
【図面の簡単な説明】
【０００８】
【図１】  大小２種の電極板の正面図とその利用構造側面断面図。
【符号の説明】
【０００９】  １  大電極板
２  小電極板
３  電極板中央の心棒貫通穴
４  電解液通過口
５  心棒
６  ナット
７  フタ
８  絶縁パッキング
９  電解槽内部
１０  ワッシャー
【図１】
0003124368.tif 000003
(57)【要約】【課題】  完全防水仕様にしたケース等に入れることなく、ＬＥＤを単体で水中でも使用出来て、ＬＥＤの形状を変化させることが出来る水中ＬＥＤ球を提供する。【解決手段】  ＬＥＤと導線を繋げて、合成樹脂を使用してモールド成型をして一体化させる。【選択図】図２
0003124370.tif 000002
【実用新案登録請求の範囲】
【請求項１】
ＬＥＤ（発光ダイオード）本体と導線をつないだものを合成樹脂等で覆い、ＬＥＤ及び導線を完全防水状態にして、水中に沈めても使用可能な形状にした水中ＬＥＤ球。
【請求項２】
ＬＥＤ本体と導線を繋いだものを合成樹脂等で固める事により、発光体の形状を自由に形成することが出来る水中ＬＥＤ球。
【考案の詳細な説明】
【技術分野】
【０００１】  本考案は、水中でも使用可能なＬＥＤ球に関するものである。
【背景技術】
【０００２】  従来より電球や蛍光灯などの発光体は発熱量も大きいために、そのものに覆い被せて防水加工する事は不可能で、池やプールなどの水中での照明は完全防水したケース等に発光体を入れる方法が採られているが、ケースが大きくなってしまうなどの問題点があった。それを改善する方法として、特許文献１で発熱量のほとんど無いＬＥＤを使用し基盤等を合成樹脂で被覆する方法が提案されている。【０００３】  どの従来例も、かなりの大きさになる事、改善し提案された特許文献１の例に於いても、基盤及び点滅等の発光プログラムを読み込ませたマイクロチップまでも合成樹脂で被覆することで、発光体の組み合わせの自由が限られてくること、プログラムの書き換えが出来なくなるという問題点があった。【０００４】  従来より電球や蛍光灯などの発光体の多くはガラスで作られており、球状もしくは棒状と形が限られ、形を変えるには発光体の上から形状に変化をつけたもので覆うしかなかった。
【特許文献１】特許公開２００３−５９３３５
【考案の開示】
【考案が解決しようとする課題】
【０００５】  完全防水仕様にしたケースを使用することなく、水中でも使用できるＬＥＤ球を提供することを目的とする。【０００６】  基盤等をＬＥＤと繋げた状態で被覆せず、発光体を基盤や発光プログラムを読み込ませたマイクロチップと分離させることが課題である。【０００７】  発光体のＬＥＤそのものの形状に変化をつけることが課題である。
【考案を解決するための手段】
【０００８】  本考案は上記の課題を解決すべく、ＬＥＤと導線を繋いだものを変形させやすい合成樹脂で被覆し、モールド成型して一体化させたものである。
【考案の効果】
【０００９】  図１は本考案の形態を示す断面図で、ＬＥＤ１と導線２を接合部分４で繋いだものを合成樹脂３で固め被覆することで、水中に沈めても使用することが可能でとなる。
【００１０】  ＬＥＤと導線を繋ぎ合成樹脂で被覆し一体化成型することで、単体で使用することが可能となる。単体を組み合わせて変化を付けることが出来るため、その組み合わせは数限りなく広げる事が出来る。
【００１１】  ＬＥＤと導線を繋いだものを合成樹脂で固めるという手法をとっているため、小型軽量化を図ることが可能である。ＬＥＤを合成樹脂で固めた時のＬＥＤの入れ方によっては、発光体の照射角度に変化をつけることが可能になる。
【００１２】  単体を組み合わせて使用することによって、面状だけでなく立体的なものにも使用することが可能である。
【００１３】  発光プログラム読み込ませたＩＣチップを合成樹脂で被覆させず、取り出すことが出来るためにプログラムの書き換えが可能になる。
【００１４】  形状を変化しやすい合成樹脂で固めることで、モールド成型の仕方によって図３の様に外観の形を変えることができる。
【考案を実施するための最良の形態】
【００１５】  ＬＥＤと導線を一体化して完全防水を図ることを可能にしたＬＥＤ球は、小型軽量化を図ることが出来、その使用用途は完全防水をすることで水中使用が出来て、使用目的は広域多々に渡ることを可能にしている。形の変化を付けやすく、加工しやすい合成樹脂を使用することで変化に富んだＬＥＤ球を作ることが出来るのである。
【図面の簡単な説明】
【００１６】
【図１】  本考案を示した断面図である。
【図２】  本考案を示した斜視図である。
【図３】  本考案の形状を変化させた斜視図である
【符号の説明】
【００１７】  １ＬＥＤ
２導線
３合成樹脂部分
４接合部分
【図１】
0003124370.tif 000003
【図２】
0003124370.tif 000004
【図３】
0003124370.tif 000005
(57)【要約】【課題】  本考案は自転車に走行音を発生させる装置を取り付けることにより、後方から接近する自転車を歩行者に察知させ、接触による事故を未然に防止する。【解決手段】  本考案は爪様部品８が車輪スポーク４に触れるように、フォーク部分３に取付用部品６と７を利用して取り付け、車輪の回転によりスポークが部品８をはじくことで発生する音により、後方からの自転車の接近を歩行者に知らせ接触事故を未然に防ぐものである。【選択図】図１
0003124361.tif 000002
【実用新案登録請求の範囲】
【請求項１】
自転車フレームのフォーク部分に爪様の部品を取り付け、回転する車輪のスポークに当該爪様の部品が触れることで発生する音または信号により、歩行者に自転車の接近を知らせるもので、特に視界の届かない背後等からの接近を知らせることに有効な走行自転車音発生装置
【考案の詳細な説明】
【技術分野】
【０００１】  本考案は、接近する自転車を歩行者等に知らせるために、自転車に取り付ける走行音発生装置である。
【背景技術】
【０００２】  自転車の走行音は低く、その接近に気付かない歩行者等との接触、また同様の事象による自転車同士の接触による事故が多発している。
【考案の開示】
【考案が解決しようとする課題】
【０００３】  歩行者等に走行自転車の存在を認識させ、前述の事故を防止するため、走行する自転車に走行音を発生させるようとするものである。
【課題を解決するための手段】
【０００４】  本考案は、薄いプラスチック片や金属片等、はじくことにより音の出る材質の長形爪様部品を、車輪のスポークに先端が触れるように自転車フレームのフォーク部分等に取り付けることで、走行し回転する自転車の車輪スポークに当該部品が触れ、はじき音を発生させることにより解決している。
【考案の効果】
【０００５】  上述のように、本考案の自転車走行音発生装置は、走行する自転車が音または信号を発生することにより歩行者に自転車の接近を知らせ、自転車の走行音が低いため接近に気付かず起きている歩行者や自転車同士の接触事故を未然に防ぐことができる。また、一般歩行者だけでなく視覚障害者に対しても安心な歩行を確保できる。
【考案を実施するための最良の形態】
【０００６】  自転車フォークに、一方が開きネジ止め式になっているＯ型バンドを装着し、両端に穴を空けた長方形平板をＬ型に曲げたものの片方の穴をＯ型バンドのネジに固定する。Ｌ型に曲げた長方形平板のもう一方の穴に、音を出すための爪様部品の片端に穴を空けネジで固定する。固定箇所の調整により爪がスポークに平行に触れるように設定する。これにより、車輪の回転に伴いスポークが爪様部品をはじき、音が発生する。既に反射鏡等が取り付けられている場合はＯ型バンドを使用せず、反射鏡の取り付けネジを利用することも可能である。
【実施例】
【０００７】  以下、添付図面に従い実施例を説明する。１は自転車のフレーム、２は後輪タイヤ断面、３は後輪フォーク部分で当該装置を取り付ける箇所である。４はスポークで、回転することで当該装置の爪様部品をはじき音を出す。５はハブ、６、７、８は当該装置の構成部品である。【０００８】  ６は金属またはプラスチック等の片開きＯ型バンドで、フォークに巻くように取り付け固定する。７は６の固定用部品と８の爪様部品を繋ぐ部品で、長形の薄型金属をＬ型に曲げ、またはＬ型に形成したプラスチック部品等の両端にネジ止めするための穴を空けおり、８とスポークの接触角度を平行にするための調整にも利用する。【０００９】  ８はスポークに接触させて音を出すための部品で、薄いプラスチック片や金属片等、はじくことにより音の出る材質を利用した長形爪様部品であり、自体も音を出すが材質と大きさによりスポークをたたき音を出すことも可能である。【００１０】  ６、７、８のネジ穴を長円または切り込みにすることで、８とスポークの接触を平行にするとともに、発生する音量や音質を変更調整することができる。また爪様部品の材質や形状を変更することでも音量や音質、また音色も変更可能である。
【図面の簡単な説明】
【００１１】
【図１】本考案の自転車走行音発生装置の一実施例として、当該装置を取り付けた自転車後輪部分の断面図である。
【図２】本考案品のくみたていらすと斜視図及び平面図である。
【符号の説明】
【００１２】１  自転車のフレーム
２  後輪タイヤ断面
３  後輪フォーク
４  車輪スポーク
５  後輪ハブ
６  当該装置の固定部品
７  固定部品と爪様部品の接続部品
８  音を出す爪様部品
【図１】
0003124361.tif 000003
【図２】
0003124361.tif 000004
(57)【要約】      （修正有）【課題】装着時に、汚れやひびによる石膏粉の飛散を軽減し、様々な図柄を手軽に楽しむ事により、骨折時の不愉快を少しでも軽くする事ができるギブスを提供する。【解決手段】様々な図柄のプリントされた熱収縮フィルム１をギブスに装着する事により、汚れを防ぎ、今まで白一色の無機質なギプスを手軽にドレスチェンジすることができる。熱収縮フィルムは、円筒形であり、ギブスの部位、長さ、太さ等に合わせてカットし、ドライヤー等により熱をあてて装着させる。【選択図】図１
0003124326.tif 000002
【実用新案登録請求の範囲】
【請求項１】
プリントされた熱収縮フィルムによるギプスカバー。
【考案の詳細な説明】
【技術分野】
【０００１】  本考案は、ギプスをプリントされた熱収縮フィルムで覆い、楽しみ、かつ強度を上げるものである。
【背景技術】
【０００２】  従来、ギプスをドレスアップする製品は無かった。
【考案の開示】
【考案が解決しようとする課題】
【０００３】  ギプスは、白く石膏で固めたまま使用するため、次第に汚れが目立ち、時間が経つとボロボロと粉が出る。又、ただでさえ骨折のため、不自由で憂うつなものである。本考案は、その様なギプス装着時の不都合を解決する事を課題とする。
【課題を解決するための手段】
【０００４】  この課題を解決するために、様々にプリントされた熱収縮フィルム１をギプス２に装着する。（図１）
【考案の効果】
【０００５】  本考案により、ギプスの汚れ、ひび等による石膏粉の飛散を軽減できる。又、好みのプリント柄を手軽につけられる事により、骨折時の不自由で憂うつな気分を少しだけ軽くし、楽しめるようになった。また、シールと違い、ギプス本体に貼りついていないので、側面のミシン目から開くか、カッター等で容易に切って外せるので、手軽にドレスチェンジも可能である。
【実施例】
【０００６】  円筒形を基本とする。ギプス２の部位、長さ、太さ等に合わせてカットし、ドライヤー等の熱をあてて装着する。
【図面の簡単な説明】
【０００７】
【図１】  本考案の使用状態を示す正面図である。
【図２】  本考案の使用状況を示す側面図である。
【符号の説明】
【０００８】  １    フィルム本体（プリント柄）
２    ギプス
３    カット開口部
４    取り外し用ミシン目
【図１】
0003124326.tif 000003
【図２】
0003124326.tif 000004
【手続補正書】
【提出日】平成18年5月10日(2006.5.10)
【手続補正１】
【補正対象書類名】実用新案登録請求の範囲
【補正対象項目名】請求項１
【補正方法】変更
【補正の内容】
【請求項１】
プリントされた熱収縮フィルムを装着したギプス。
【手続補正３】
【補正対象書類名】明細書
【補正対象項目名】０００１
【補正方法】変更
【補正の内容】
【０００１】本考案は、ギプスをプリントされた熱収縮フィルムで覆い、楽しみ、かつ強度を上げたものである。
【手続補正４】
【補正対象書類名】明細書
【補正対象項目名】０００２
【補正方法】変更
【補正の内容】
【０００２】従来、ドレスアップしたギプス製品は無かった。
【手続補正５】
【補正対象書類名】明細書
【補正対象項目名】０００６
【補正方法】変更
【補正の内容】
【０００６】フィルム部分は円筒形を基本とする。ギプス２の部位、長さ、太さ等に合わせてカットし、ドライヤー等の熱を当てて装着する。
(57)【要約】【課題】  日常的に使用する道具に防犯ブザーを施し、防犯ブザーに関して、普段の意識の中に存在し、とっさの場合、警報音を発する操作を容易にすること。【解決手段】  日常使用する住宅錠や自転車錠などの鍵の柄の部分に、スイッチ操作をすると警報音が発せられる防犯ブザーを装着した。【選択図】図４
0003124323.tif 000002
【実用新案登録請求の範囲】
【請求項１】
キーブレードと柄の部分で構成される鍵の柄の部分にスイッチを操作すると警報音を発する防犯ブザーを装着した鍵。
【考案の詳細な説明】
【技術分野】
【０００１】  本考案は、鍵の柄の部分にスイッチを操作すると警報音が鳴る防犯ブザーを装着した鍵に関する。
【背景技術】
【０００２】  一般に使用されていろ防犯ブザーは、持ち歩く際、ハンドバッグに入れたり、キーホルダーに吊るしたりするが、日常的に手で触れるものではないので、とっさの場合、防犯ブザーの操作をするということが容易ではない。また、使用に迫られる状態が、そう起きるものではないため、その存在を忘れてしまったり、持ち歩かなくなってしまうことがあった。
【考案が解決しようとする課題】
【０００３】  日常に使用する身近なものに防犯ブザー機能を施し、防犯ブザーに関して、普段の意識の中に存在し、とっさの場合、警報音を発するスイッチ操作を容易にすること。
【０００４】  本考案は、日常使用する身近な道具に防犯ブザー機能を施し、とっさの場合、警報音を発する操作を容易にする用具の提供を目的とする。
【課題を解決するための手段】
【０００５】  本考案は、住宅錠や自転車錠などの鍵の柄の部分にスイッチ操作をすると警報音を発する防犯ブザーを装着する方法を考案した。
【考案の効果】
【０００６】  住宅錠や自転車錠は、日常に使用する機会が多く、その度に防犯ブザーの存在を意識することができ、住宅錠や自転車錠は持ち歩く際に、バッグのポッケトに入れたり、キーホルダーに付けるなどして、なくさず、取り出しやすい場所に入れて持ち歩くため、とっさの場合、防犯ブザーの警報音を発する操作がしやすくなった。また、鍵も防犯用の用具であることから、鍵に防犯ブザーを施したことにより、より防犯意識が高まり、普段の意識の中に防犯ブザーの存在が意識付けられる効果がある。
【考案を実施するための形態】
【０００７】  以下に、本考案の防犯ブザー付きの鍵について、図面を参考にしながら詳細に説明する。
【０００８】  一般に、住宅錠や自転車錠の鍵は、柄の部分が持ちやすいように太く大きい形状である場合が多い。また、最近では、鍵の柄の部分にＬＥＤを使用した照明装置を施したものも登場している。
図１は、一般的な住宅錠や自転車錠の鍵の柄の部分に防犯ブザーを装着した図である。一般に、防犯ブザーは樹脂製の本体に電源となるボタン電池、発音体、スイッチ等が内蔵されているが、この防犯ブザー本体の一端に鍵のキーブレードを挟み込んで固定した状態を示す。
【０００９】  図２は、防犯ブザーの内部の構成を示した構造図である。防犯ブザー本体１の内部は、電源となるボタン電池２と発音体３と一部が外側に突出したスイッチ端子４で構成され、本体外筒５でキーブレード６を挟み込んで固定する。図３は、その回路図である。
【００１０】  図４は、鍵に装着した防犯ブザーの警報音を発するスイッチ操作をした場合の図である。鍵の柄の部分に装着された防犯ブザー本体１の一端に突出したスイッチ端子４を引き出すことにより、スイッチ操作がなされ警報音を発する構造である。
スイッチ端子４には、金属などのリング７を付け、このリングに紐のようなものを付けたり、キーホルダーに通して吊るしたりして持ち歩き、とっさの場合は、このリング７を引くことにより、スイッチ端子４が引き出され、発音体に電流が流れ、警報音が発せられる構造である。
【図面の簡単な説明】
【図１】本考案の防犯ブザー付の鍵の外観図である。
【図２】本考案の内部の構成を示す構造図である。
【図３】本考案の回路図である。
【図４】本考案の防犯ブザー付の鍵の防犯ブザーを作動させる場合の操作を示した図である。
【符号の説明】
１  防犯ブザー本体
２  ボタン電池
３  発音体
４  スイッチ端子
５  本体外筒
６  キーブレード
７  リング
【図１】
0003124323.tif 000003
【図２】
0003124323.tif 000004
【図３】
0003124323.tif 000005
【図４】
0003124323.tif 000006
【手続補正書】
【提出日】平成18年2月2日(2006.2.2)
【手続補正１】
【補正対象書類名】明細書
【補正の内容】
0003124323.tif 000007
0003124323.tif 000008
0003124323.tif 000009
0003124323.tif 000010
0003124323.tif 000011
0003124323.tif 000012
0003124323.tif 000013